(57)【特許請求の範囲】
【請求項１】
少なくとも音声情報、映像情報、及びデータの１つを含む、送信端（1-8）からの音声／映像／データサービス（42）を、複数のサブチャンネル（ＳＵＢＣＨ1-ＳＵＢＣＨ  Ｌ）、及び、当該音声／映像／データサービスを送信するための複数のキャリア、及び、少なくとも1つの情報チャンネル（ＦＩＣ、ＡＩＣ）を含む無線インターフェースを介して受信端（5'、6'、9）に転送するための方法であって、
前記方法が、前記送信端において、
前記音声／映像／データサービスを、ファイルの組に分割するステップであって、当該ファイルの組の各ファイルが音声／映像／データ情報を含むものであり、当該組が、サービスアンサンブルを形成するものであり、当該ファイルの各々と、当該ファイルの各々を記述するためのパラメータグループを対応付けるものであり、
前記ファイルの各々を、前記サブチャンネルの対応する１つに配置し、対応するパラメータグループを、前記サブチャンネルの当該対応する１つに配置し、前記ファイルの各々の配置に関する指示（indication）及び対応するパラメータグループを、前記少なくとも1つの情報チャンネル（ＦＩＣ、ＡＩＣ）に配置するステップ、
少なくとも、前記サブチャンネル及び前記情報チャンネルを、デジタル的に変調される複数の送信フレームに多重するステップ（8）、及び、
前記デジタル的に変調された送信フレームを、マルチプルキャリアを用いて、無線インターフェースを介して、前記受信端に送るステップ、
を含み、
前記方法が、更に、前記受信端において、
前記マルチプルキャリアを受信し、前記マルチプルキャリアから、前記複数の送信フレームを復調（9、41）し、前記送信フレームから、少なくとも前記サブチャンネル（ＳＵＢＣＨ-1  −  ＳＵＢＣＨ  Ｌ）及び前記少なくとも１つの情報チャンネル（ＦＩＣ、ＡＩＣ）を分離するステップ、
前記少なくとも１つの情報チャンネル（ＦＩＣ、ＡＩＣ）から受け取った情報を使用（51,53）して、前記サブチャンネル（ＳＵＢＣＨ  1  -  ＳＵＢＣＨ  Ｌ）から、前記パラメータグループを分離するステップ、及び、
前記パラメータグループを使用して、前記ファイルのうち実質的に所望されるいくつかだけを選択的に結合及び処理（54、55、56）することによってサービス（42）を形成することによって、前記サービスのために必要とされない前記ファイルのうちのいくつかが更に処理されないこととなるステップ、
を含む方法。
【請求項２】
前記パラメータグループの各々が、少なくとも前記対応付けられたファイルのサイズ情報、送信チャンネルの個別化情報（individualizing information）、及び、送信のタイミング情報を示す第１の複数のパラメータを含むファイル転送記述を含む、請求項１に記載の方法。
【請求項３】
前記パラメータグループの各々が、少なくとも前記対応付けられたファイルのファイルタイプ及び前記対応付けられてたファイルのフォーマットを示す第２の複数のパラメータを含むファイル内容記述（file content description）を含む、請求項１に記載の方法。
【請求項４】
前記ファイルタイプが、コマンドファイル、テキストファイル、データファイル、ピクチャーファイル、プログラムファイル、ハイブリッドファイル、及び、スクリプトファイルを含むグループから選択される、請求項３に記載の方法。
【請求項５】
前記パラメータグループの各々が、前記対応付けられたファイルの提示に関して、少なくとも前記対応付けられたファイルの時間及び空間ドメインにおける位置、前記対応付けられたファイル及び他のファイルへの複数のリンクの前記提示をトリガする状態、及び、少なくとも１つの提示装置（device）の記述、を示す複数のパラメータを含むファイル提示記述（file presentation description）を含む、請求項１に記載の方法。
【請求項６】
前記パラメータグループの各々が、前記対応付けられたファイルが実行されるべきファイルである場合に少なくとも実行コマンド及び状態ステートメントを示し、前記対応付けられたファイルが実行されるべきプログラムの制御ファイルである場合には実行命令を示す、複数のパラメータを含むファイル実行記述を含む、請求項１に記載の方法。
【請求項７】
受信端において、前記パラメータグループが、ユーザに、利用可能なサービスの指示（indication）を提供するために使用され、前記パラメータグループを使用して前記選択的サービスを形成するステップが、当該ユーザからの選択入力に応じるものである、請求項１に記載の方法。
【請求項８】
前記送るステップが、前記送信フレームを、複数の受信端に同時に放送することを含み、前記受信端の各々において、前記パラメータグループを使用して前記選択的サービスを形成するステップが、前記受信端に共通の前記送信フレームから個々のサービスを提供するために実行される請求項１に記載の方法。
【請求項９】
音声情報、ビデオ情報及びデータの少なくとも１つを含む、音声／ビデオ／データサービス（42）を、無線インターフェースを介して、受信端に送信するための装置（1-8）であって、当該無線インターフェースが、複数のサブチャンネル（ＳＵＢＣＨ  1  -  ＳＵＢＣＨ  Ｌ）、及び、当該音声／ビデオ／データサービスを送信するための複数のキャリア、及び、少なくとも１つの情報チャンネル（ＦＩＣ、ＡＩＣ）を含み、当該装置が、
前記音声／映像／データサービスを、ファイルの各々が音声／映像／データ情報を含み、ファイルの組がサービスアンサンブルを形成する、ファイルの組に分割し、当該ファイルの各々を、当該ファイルの対応する１つを記述するための
パラメータグループと対応付けるためのファイル及び記述子生成手段（3-7）、
各ファイルを前記サブチャンネルの１つに配置し、対応するパラメータグループを当該サブチャンネルの当該１つに配置し、当該ファイルの当該対応する１つ、及び、当該対応するパラメータグループの、前記少なくとも１つの情報チャンネル（ＦＩＣ、ＡＩＣ）への配置に関する指示（indication）を配置し、少なくとも前記サブチャンネル及び前記少なくとも１つの情報チャンネルを、デジタル的に変調された複数の送信フレームに多重するための多重手段（8）、及び、
前記デジタル的に変調された送信フレームを、前記複数のキャリアを用いて、無線インターフェースを介して、少なくとも１つの受信端に送るための送信手段、
を備える装置。
【請求項１０】
音声情報、映像情報、及び、データの少なくとも１つを含む、音声／映像／データサービス（42）を、無線インターフェースを介して、送信端から受信するための装置であって、当該無線インターフェースが、当該音声／映像／データサービスを送信するための複数のサブチャンネル及び複数のキャリア、及び、少なくとも１つの情報チャンネルを含む装置であって、
前記音声／映像／データサービス（42）がファイルの組に分割され、当該ファイルの組の各ファイルが、音声情報、映像情報、及びデータのうち少なくとも１つを含み、当該サブチャンネルの対応する１つに配置され、
前記ファイルの組が、サービスアンサンブルを形成し、
前記ファイルの各々を記述するためのパラメータグループが、前記ファイルの各々と対応付けられ、前記サブチャンネルの前記対応付けられた１つに配置され、
前記装置が、
前記キャリアから、複数のデジタル的に変調された送信フレームを復調するために、及び、前記送信フレームから、少なくとも前記サブチャンネル（ＳＵＢＣＨ１  -  ＳＵＢＣＨ  Ｌ）及び前記少なくとも１つの情報チャンネル（ＦＩＣ、ＡＩＣ）を分離するために、前記複数のキャリアを受信するための受信手段（9、41）、
前記少なくとも１つの情報チャンネルから受信された情報に基づいて、前記サブチャンネルから複数のパラメータグループを分離するための分離手段（51、53）であって、当該情報が、前記ファイル及び前記対応パラメータグループの各々の配置に関する指示（indication）を含む、分離手段（51、53）、及び、
パラメータグループに基づいて、実質的に所望のファイルだけを選択的に結合及び処理することによってサービス（42）を形成することによって、前記サービスのために必要とされないファイルが、更に処理されないようにするためのサービス形成手段（54、55、56）、
を備える装置。
【発明の詳細な説明】
発明の分野
本発明は、音声及びデータサービスの送信及びこれらサービスの選択的な受信を行えるようにするデジタル送信チャンネルを使用するデータ送信に係る。送信チャンネルに送られる情報は、連続的なデータ流又はパケットの形態である。
先行技術の説明
周波数帯域を効率的に使用するために開発されたデジタル音声システムＤＡＢ（デジタルオーディオブロードキャスティング）においては、送信経路が完全にデジタルであり、そしてシステムは、周波数変調を用いる現在一般的に使用されているアナログ放送システムに置き換わることが意図される。ＤＡＢは移動環境用に特に設計されてものであり、即ち受信器は、無線信号の伝播により生じる異なる減衰及び擾乱を適当な変調及びチャンネルコード化の合成作用によって防止できる移動装置である。ＤＡＢ受信器は、同じソースから発生する多数のエコーに耐えることができ、聴取しようとする以外のステーションの信号がエコーとして解釈され、除去されるので、国という規模の無線有効範囲を１つの周波数チャンネルで達成することができる。
ＤＡＢは、音声及びデータの両サービスの送信に適したデジタル無線チャンネルを多数のキャリアに基づいて決定する。完全にデジタルの送信チャンネルは、連続データ流であるか又はパケットチャンネルである。パケットの切り換えは、非常に融通性があり、限定された長さのデータ単位の送信を容易に行うことができる。ＤＡＢシステムの送信、転送及び受信は、タンパー・ユニバーシティ・オブ・テクノロジー、第２ないし１３ページに掲載されたキモー・ハッカライネン氏著の「ＭＳｃ論文、ＤＡＢデモンストレータ用のチャンネルエンコーダ／デコーダ、１９９５年(MSc Thesis，A Channel Encoder/Decoder for DAB Demonstrator，1995)」に詳細に説明されている。受信器に対し、ＤＡＢシステムの最高の抽象レベルをアンサンブルと称する。１アンサンブルは多数のサービスに分割され、そして各サービスは更にサービス成分に分割される。サービス成分は、音声チャンネル又はデータチャンネルのいずれかである。
図１は、１つのＤＡＢシステムを簡単に示している。送信端において制御装置１が送信を制御する。ＦＩＣ及び制御ブロック２は、音声及びデータサービスに関連したＳＩ（サービス情報）情報と、サービスの負担／暗号化に関する情報である条件アクセスに関連したＭＣＩ（多重構成情報）及びＣＡ（条件アクセス）情報を発生する。これらは、一緒に、高速情報チャンネルＦＩＣを形成する。音声サービスの発生装置３により供給される音楽のような音声情報は、ＭＰＥＧエンコーダ４において圧縮され、そして音声チャンネルエンコーダ５へ送られる。同様に、データサービスの発生装置６により供給されるデータは、データチャンネルエンコーダ７においてエンコードされる。チャンネルエンコードされたデータ、音声及びＦＩＣ情報は、直交周波数分割多重化ＯＦＤＭを実行するブロックへ送られる。このブロックの逆高速フーリエ変換により発生されるＯＦＤＭ記号は、厳密に決定された巾をもつサブキャリアのグループである。個々のサブキャリアは、Ｄ−ＱＰＳＫ（差動四位相シフトキーイング）方法により変調され、そして最終的に、次々の送信フレームより成るＤＡＢ送信信号を生じさせる。各フレームは、同期チャンネルと、高速情報チャンネルＦＩＣと、音声及びデータサービスを含むチャンネルＭＳＣ（メインサービスチャンネル）との間で時間マルチプレクスされる。１つの周波数を用いる地上の無線ネットワークに意図された送信モードＩは、１５３６個のキャリアを有し、フレームは７６個の記号を有しそしてフレームの巾は、４＊２４ｍｓ＝９６ｍｓである。転送はフレームで行うことができる。地上レベル及びサテライト送信に意図されたモードＩＩは、３８４個のキャリアを有し、フレームは７６個の記号を有し、そしてフレームの巾は２４ｍｓである。５５２９６個のＭＳＣビット及び１０２４個のＦＩＣビットが１つのフレームにおいて転送される。地上レベル、サテライト及びケーブル送信に意図されたモードＩＩＩは、１９２個のキャリアを有し、フレームは１５３この記号を有し、フレームの巾は２４ｍｓである。５５２９６個のＭＳＣビット及び１０２４個のＦＩＣビットが１つのフレームにおいて転送される。
送信端において受け取られた信号は、Ｉ−Ｑ信号をデジタルモードに変換するＣＯＦＤＭ（コード化直交周波数分割多重化）ブロック９でデコードされ、デジタル化された信号は、高速フーリエ変換により周波数レベルに変換され、周波数インターレースが除去され、そして送信フレームが次々のＯＦＤＭ記号で構成される。音声及びデータサービス含む情報チャンネルＦＩＣ及びチャンネルＭＳＣは、互いに分離され、そしてサブチャンネルがＭＳＣチャンネルから分離され、それらがデコーダ５’及び６’においてチャンネルデコードされる。次いで、所望のサブチャンネルが更に処理される。加入者は、受け取ったＦＩＣチャンネルから、受信信号がどんなサービスを含むかを見出し、それに応じて、所望のサービスを選択することができる。
ＤＡＢシステムの１つの効果は、サービスプロバイダー（提供者）に対してデータ容量を動的に保持できることである。例えば、容量は、せいぜい１７２８Ｍビット／ｓである。従って、データは、図２Ａに示すように、ヘッダフィールドと、データフィールドと、チェック和とを含むパケットとして送信される。ここに述べるフィールドの意味は、ＤＡＢ規格に従う。パケットヘッダは、２４、４８、７２及び９６バイトであるパケットの長さ（ＰＫＴ  ＬＥＮ）に関する情報と、連続性のインデックス（ＣＯＮＴ  ＩＮＤ）と、最初／最後のパケット情報（ＦＩＲＳＴ／ＬＡＳＴ）と、サービス成分を識別するアドレス（ＰＫＴ  ＡＤＤＲＥＳＳ）と、コマンドと、データフィールドの実際の長さ（ＤＡＴＡ  ＬＥＮ）とを含む。データフィールドは、送信されるべき実際のデータと、必要に応じたスタフビットとを含む。最後に、パケットのチェック和（ＰＫＴ  ＣＲＣ）がある。
パケットのデータフィールドは、図２Ｂに示すいわゆるデータグループを形成する。一般に、データグループは、あるシーケンスで送信されるべきパケットの多数のデータフィールドを含む。その最も簡単な形態において、１つのパケットは、１つのデータグループを形成するのに充分である。
データグループは、図３に示すように構成される。グループヘッダのフィールドは、次の通りである。
ＥＸＬ  ＦＬ  延長フラグ
ＣＲＣ  ＦＬ  ＣＲＣフラグ
ＳＥＳ  ＦＬ  セッションフラグ
ＤＧ  ＴＹＰＥ  データグループタイプ
ＣＯＮＴ  ＩＮＤ  連続性インデックス
ＲＥＰ  ＩＮＤ  反復インデックス
ＥＸＴ  ＦＩＥＬＤ  延長フィールド
セッションヘッダのフィールドは、次の通りである。
ＬＡＳＴ  ＦＬ  最終フラグ
ＳＥＧ  ＮＵＭ  セグメント番号
ＲＦＡ  指定済
ＬＥＮ  ＩＮＤ  次のアドレスフィールドの長さを示す
ＡＤＤＲ．ＦＩＥＬＤ  エンドユーザのアドレス（ＬＥＮ  ＩＮＤ）
これらのヘッダフィールドの後に、実際のデータと、データグループのチェック和とが続く。
少なくとも理論的には、ＤＡＢシステムは、マルチメディア及びハイパーメディア型のサービスを移動ユーザへ送ることができるようにする。しかしながら、移動受信器へのマルチメディア及びハイパーメディアサービスの送信において、受信器のソフトウェアが、サービスプロバイダーにより与えられる可能性に基づいてユーザにより所望される仕方でサービスを受け取り、合成し、形成し、提示しそして実行できるように、サービス成分及びファイルを送信するための機構がまだ特定されていないという問題がある。
本発明の目的は、上記問題を解消する方法及び装置を提供することである。
この目的は、請求項１に記載の方法及び請求項９及び１０に記載の装置により達成される。
本発明によれば、サービスは、送信端においてファイルに分割される。時間及び空間ドメインにおける相互的な、並列的かつ連続的なファイルの提示（プレゼンテーション）によりサービスアンサンブルが形成される。
メッセージタイプと称するパラメータグループが各ファイルに関連される。次の４つのメッセージタイプがある。
１）ファイル転送記述
２）ファイル内容記述
３）ファイル提示記述
４）ファイル実行記述
受信端において、ユーザは、フィルタ動作によりサービスに対するユーザ自身のプロファイルを形成することができる。フィルタ動作には、各ファイルに関連したメッセージタイプが使用される。従って、プロファイルは、フローチャート、マトリクス、ナビゲーション経路又はツリーによって表すことのできる定義記述である。これにより、受信器は、必要なファイル又はサービスエレメントのみをサービスチャンネルから選択的に受け取ることができる。プロファイルにより、受信プログラムは、ファイルにより形成されたサービスをユーザに正しく提示することができる。メッセージタイプはパラメータ化されるので、サービスプロファイルの形成段階に、必要な程度の相互作用を含ませることができる。しかしながら、この相互作用は、ユーザとサービスチャンネルとの間のローカルなものであり、ユーザとサービスプロバイダーとの間の直接的なものではない。
サービスプロファイルは、受信チャンネルからエレメント、クラス及びオブジェクトをサーチし、それらのグループを識別し、そしてグループの属性及び接続をサーチすることにより形成される。
又、本発明は、サービス成分にタイムスタンプ「開始」、「終了」及び「時間巾」を適用することにより、サービス成分がタイミングどりされることも特徴とする。この適用は、タイムスタンプを基準タイムスケールと比較することにより実行される。サービス成分の提示は、パラレル形態でもシリアル形態でもよい。
以下、添付図面を参照し、本発明の好ましい実施形態を詳細に説明する。
【図面の簡単な説明】
図１は、１つのＤＡＢシステムを示す図である。
図２Ａ及び２Ｂは、データグループとデータパケットとの間の接続を示す図である。
図３は、データグループの構造を示す図である。
図４は、メディア用途に適した受信器を示す図である。
図５は、受信器における本発明の動作構成を示す図である。
テーブル１は、ファイル転送記述のパラメータを示す。
テーブル２は、ファイル内容記述のパラメータを示す。
テーブル３は、ファイル提示記述のパラメータを示す。
テーブル４は、ファイル実行記述のパラメータを示す。
好ましい実施形態の詳細な説明
図４は、メディア用途に適した１つの受信器を示す。受け取ったアンサンブルは、多数のサービスに分割され、そして各サービスは、サービス成分に更に分割される。サービス成分は、音声チャンネル又はデータチャンネルのいずれかである。アンサンブルは、ＣＯＦＤＭ（コード化直交周波数分割多重化）ブロック４１でデコードされ、そしてサブチャンネルＳＵＢＣＨ１・・・ＳＵＢＣＨＬがデマルチプレクスにおいてＭＳＣチャンネルから分離される。次いで、所望のサブチャンネルが更に処理される。マルチメディアサービス、ハイパーメディアサービス、ファイルベースサービス及びハイパーテキストは、サブチャンネルのサービス成分、例えば、音響／スピーチ、ストリームビデオ及びパケットデータをアプリケーションプログラムに基づいて合成することにより形成される。形成されたサービスは、次いで、ユーザのディスプレイ装置に送られるか、又は更に処理される。インターフェイスＡはサービス成分のインターフェイスであり、その後にアプリケーションプログラムがサービス成分から所望のサービスを形成する。
送信端において、サービスはファイルに分割される。例えば、図４において、ハイパーテキスト文書サービス４２がファイルに分割される。時間及び空間ドメインにおける相互的な、並列的かつ連続的なファイルの提示がサービスアンサンブルを形成する。メッセージタイプと称するパラメータグループが、各ファイルに関連される。次の４つのメッセージタイプがある。１）ファイル転送記述、２）ファイル内容記述、３）ファイル提示記述、及び４）ファイル実行記述。メッセージタイプは、記述ファイルと称するそれら自身のファイルを形成する。これは、適当な特定のフォーマットに合致させることによりファイル記述ファイル又はデータグループフィールドとして送信することができる。この場合に、記述ファイルは、定義によれば、チャンネルを経て転送されるべき全てのファイルのヘッダを含むファイルである。図３に示すように、新たなデータグループタイプが、受信器へ転送するために形成される。次いで、データグループとパケットとの間の接続が分かり、これは、図２Ａ及び２Ｂに示された通りである。
図４に示す受信器において、記述されたサービス成分チャンネルだけでなく、音声及びデータサービスに関連した情報チャンネルＦＩＣ及び情報チャンネルＡＩＣ（図４には示さず）も、インターフェイスＡから導出され、これは、サブチャンネルにデマルチプレクスされるフレームである。サービス成分のメッセージタイプを含むデータグループも、このチャンネルを経て受け取られる。
サービス情報ハンドラーブロック５１、情報チャンネルハンドラーブロック５２及びアプリケーションソフトウェアブロック５３が、公知技術と同様に図５に示されており、それらの動作自体は公知である。それ故、ブロック５１はブロック５３のサービス情報を発生し、そしてブロック５３は、例えば、ユーザが所望のサービスを選択するところのグラフィックユーザインターフェイスをユーザに対して発生する。その後、アプリケーションソフトウェアブロックが、サブチャンネルから所望のチャンネルを分離するタスクを情報チャンネルブロック５２に指定する。
又、本発明によれば、アプリケーションソフトウェアブロック５３は、ブロック５１で発生された情報からメッセージタイプを分離する。ファイル転送記述によれば、エンコードされた形態の指定のサービスのサービス成分は、ユーザにより選択されたときにファイル転送制御ブロック５７においてフィルタされ、ファイルが形成されそしてメモリ５８に記憶される。メモリからエンコードされたファイルは、ファイル内容デコードブロック５５へ送られ、ここで「ファイル内容記述」メッセージタイプにより示されたようにデコードが行われる。例えば、ピクチャーファイルは、テキストファイルとは異なる仕方でデコードされる。デコードされたファイルは、ファイル実行ブロック５６又はファイル提示ブロック５４において更に処理される。
ファイルが特定の実行、例えば、移動する像を必要とする場合には、アプリケーションソフトウェアブロック５３は、それがプログラムと共に受信した「ファイル実行記述」メッセージタイプから、ファイルが実行ブロック５６においてスタートされることを知る。
ファイルがマルチメディア又はハイパーメディア用途に関連する場合には、ファイル提示ブロック５４が、ファイルのリンク、同期及び他の状態を取り扱い、所望の結果が得られるようにする。アプリケーションソフトウェアブロックは、それが受信した「ファイル提示記述」メッセージタイプから必要な命令を得る。
図５によれば、ユーザの所望のサービスファイルは、受け取ったチャンネルからエレメント、クラス及びオブジェクトをサーチし、それらのグループを識別しそしてグループの属性及び接続をサーチすることにより形成される。プロファイルにより、サービスは、考えられる提示方法（デコード、圧縮解除等）をアンパッキングした後に、その成分の情報内容から形成される。プロファイル自体は、フローチャート、マトリクス、ナビゲーション経路又はツリーによって表すことのできる定義記述である。プロファイルは、受信器の特性に基づく。例えば、受信器がＪＰＥＧピクチャーをデコードできない場合には、それらと共にエンコードされたピクチャーをプロファイルから取り除くことができる。
サービス成分は、成分のタイムスタンプ（開始、終了、時間巾）を基準タイムスケールと比較することによりそのタイムスタンプを整列することによってタイミングどりされる。成分の提示は、パラレル形態でもシリアル形態でもよい。
推奨勧告ＥＴＳ３０００７５は、ファイルパラメータの形成に使用できるが、他のパラメータ定義及びパラメータ値も考えられ、本発明の方法を限定するものではない。
テーブル１は、ファイル転送記述の幾つかの考えられるパラメータを示す。これに加えて、同じ部門に分類できる他のパラメータも含むことができる。
テーブル２は、ファイル内容記述の幾つかの考えられるパラメータを示す。この記述は、同じ部門に分類できる他のパラメータも含むことができる。
テーブル３は、ファイル提示記述の幾つかの考えられるパラメータを示す。この記述は、同じ部門に分類できる他のパラメータも含むことができる。この部門は、特に、ファイルを提示するための時間及び空間ドメインにおけるファイルの位置、ファイルの提示を開始させる条件、即ち他の提示への依存性、リソースチャンネルの定義、及び他のファイル及びメディア成分へのファイルのリンクを含む。
テーブル４は、ファイル実行記述の幾つかの考えられるパラメータを示す。この記述は、同じ部門に分類できる他のパラメータも含むことができる。これは、ファイル自体が実行されるべきファイルである場合に特に当てはまるが、記述されたファイルが実行されるべきプログラムの制御ファイルである場合にも実行プログラムのための実行命令として当てはまる。
本発明を使用する場合の例として、新聞の送信について説明する。新聞のページは、所望の形態でファイルに分割される。各ピクチャーはそれ自身のファイルを形成し、テキストアンサンブル又はそれらの部分は、それら自身のファイルを形成する。又、ページは、ファイルを形成するブロックに格子化することができる。本発明による記述を使用することにより、ページは、受信端において完全に再現することができる。というのは、各ファイルは、その内容及び他のファイルの両方に関して一時的に且つローカルに定義されるからである。受信器が形成するプロファイルに従い、ユーザは、ピクチャー、指定のテキスト、例えば、スポーツページのみを見ることができる。
本発明は、特に、新規なデジタル音声システムＤＡＢに係るものであるから、システム及び装置の製造番号が大きなものとなることが仮定される。ＤＡＢに関しては、データサービス及びそれにより必要とされる機構がほとんど特定されない。それ故、マルチメディア及びハイパーメディア型のサービスを移動ユーザに送信することが必要となる。多数の用途においては、ピクチャー、音声及びデータサービスの異なる組合せを使用することができる。これらのサービスの例は、イエローページのピクチャーインデックス、ガソリンステーションの目録、乗客情報リスト、並びにホテル及びレストランの名簿である。他の用途は、新聞、マンガ、ビデオアナウンスメント、広告及び娯楽サービスである。
上記説明及び添付図面は、単に本発明を解説するものに過ぎないことを理解されたい。請求の範囲に規定した本発明の精神及び範囲から逸脱せずに本発明を種々変更及び修正できることが当業者に明らかとなろう。
0003841434.tif 000002
0003841434.tif 000003
0003841434.tif 000004
0003841434.tif 000005
0003841434.tif 000006
【図１】
0003841434.tif 000007
【図２】
0003841434.tif 000008
【図３】
0003841434.tif 000009
【図４】
0003841434.tif 000010
【図５】
0003841434.tif 000011